(57)【要約】【課題】通信期間を短くすること、又は、スループットの低下を抑えることが可能なスケジューリング方式を提供すること。【解決手段】端末の通信のためにサブフレームを割り当てる基地局装置は、１つ以上のサブフレームの端末への割り当てに係る１つの信号を、端末へ送信し、その１つの信号によって割り当てられるサブフレームの数の情報を端末へ通知する。【選択図】  図４
2017038274.tif 000002
【特許請求の範囲】
【請求項１】
端末の通信のためにサブフレームを割り当てる基地局装置であって、
１つ以上のサブフレームの前記端末への割り当てに係る１つの信号を、前記端末へ送信する送信手段と、
前記１つの信号によって割り当てられるサブフレームの数の情報を前記端末へ通知する通知手段と、
を有することを特徴とする基地局装置。
【請求項２】
前記通知手段は、前記１つの信号に前記情報を含め、
前記送信手段が当該１つの信号を送信することにより、当該１つの信号によって割り当てられるサブフレームの数が前記端末へ通知される、
ことを特徴とする請求項１に記載の基地局装置。
【請求項３】
前記通知手段は、前記１つの信号によって割り当てられるサブフレームの数に応じた値を用いて前記１つの信号の少なくとも一部を変形し、
前記送信手段は、変形された前記１つの信号を送信し、
前記端末は、受信した前記１つの信号の変形に用いられた値を特定することにより、当該１つの信号によって割り当てられるサブフレームの数を取得する、
ことを特徴とする請求項１に記載の基地局装置。
【請求項４】
前記通知手段は、さらに、サブフレームの数ごとに対応する前記値を前記１つの信号が送信される前に前記端末へ通知する、
ことを特徴とする請求項３に記載の基地局装置。
【請求項５】
前記１つの信号は、前記１つ以上のサブフレームとは異なるサブフレームにおける信号である、
ことを特徴とする請求項１から４のいずれか１項に記載の基地局装置。
【請求項６】
前記送信手段は、前記１つの信号を送信後に、前記１つ以上のサブフレームにおいて信号を前記端末へ送信する、
ことを特徴とする請求項１から５のいずれか１項に記載の基地局装置。
【請求項７】
前記１つの信号によって割り当てられる前記１つ以上のサブフレームにおける信号の送信が完了した後に、当該１つ以上のサブフレームで送信した信号に関する確認応答を受信する受信手段をさらに有し、
前記確認応答は、前記１つの信号によって割り当てられる全てのサブフレームにおける信号の送信が完了するまでは送信されない、
ことを特徴とする請求項６に記載の基地局装置。
【請求項８】
前記送信手段が前記１つの信号を送信した後に、前記１つ以上のサブフレームにおいて前記端末から信号を受信する受信手段をさらに有する、
ことを特徴とする請求項１から５のいずれか１項に記載の基地局装置。
【請求項９】
前記送信手段は、前記受信手段が前記１つの信号によって割り当てられる前記１つ以上のサブフレームにおいて信号の受信を完了した後に、当該１つ以上のサブフレームで受信した信号に関する確認応答を送信し、
前記確認応答は、前記１つの信号によって割り当てられる全てのサブフレームにおける信号の受信が完了するまでは送信されない、
ことを特徴とする請求項８に記載の基地局装置。
【請求項１０】
前記１つ以上のサブフレームの全てに対して、１つの前記確認応答が送信される、
ことを特徴とする請求項７又は９に記載の基地局装置。
【請求項１１】
前記１つ以上のサブフレームの全てに対して、それぞれ別個の前記確認応答が送信される、
ことを特徴とする請求項７又は９に記載の基地局装置。
【請求項１２】
端末の通信のためにサブフレームを割り当てる基地局装置の制御方法であって、
送信手段が、１つ以上のサブフレームの前記端末への割り当てに係る１つの信号を、前記端末へ送信する送信工程と、
通知手段が、前記１つの信号によって割り当てられるサブフレームの数の情報を前記端末へ通知する通知工程と、
を有することを特徴とする制御方法。
【請求項１３】
端末の通信のためにサブフレームを割り当てる基地局装置に備えられたコンピュータに、
１つ以上のサブフレームの前記端末への割り当てに係る１つの信号を、前記端末へ送信する送信工程と、
前記１つの信号によって割り当てられるサブフレームの数の情報を前記端末へ通知する通知工程と、
を実行させるためのプログラム。
【発明の詳細な説明】
【技術分野】
【０００１】
本発明は、スケジューリングに基づく通信技術に関する。
【背景技術】
【０００２】
現在、第３世代パートナーシッププロジェクト（３ＧＰＰ）において、ＬＴＥ（ロングタームエボリューション）の高度化技術が検討されている（非特許文献１参照）。その一つとして、伝送ブロックサイズ、対応帯域幅などが制限され、使用可能な無線リソース量が限定される、端末コストの低減を目的とした検討が行われている。このような端末は、対応帯域幅が制限されているため、通常の端末がデータチャネルのスケジューリングを受信することができる制御チャネル（物理下りリンク制御チャネル（ＰＤＣＣＨ））を、受信することができないことが想定される。このため、このような低コストの端末のための制御情報は、物理下りリンク共有チャネル（ＰＤＳＣＨ）で送信されることが想定されている。一方で、低コストの端末は、上述のように使用可能な無線リソース量が限定されている。このため、このような端末が、制御情報が送信されるサブフレームではユーザデータを送受信せず、その後のサブフレームにおいてデータを送受信することが提案されている（非特許文献２〜４参照）。
【先行技術文献】
【非特許文献】
【０００３】
【非特許文献１】ＮＥＣ等、Ｒ１−１５０９１１、“ＷＦ  ｏｎ  Ｐｈｙｓｉｃａｌ  Ｃｈａｎｎｅｌｓ  ｆｏｒ  ＭＴＣ”、３ＧＰＰ  ＴＳＧ  ＲＡＮ  ＷＧ１＃８０、２０１５年２月
【非特許文献２】ＭＣＣ  Ｓｕｐｐｏｒｔ、Ｒ１−１５０００１、“Ｆｉｎａｌ  Ｒｅｐｏｒｔ  ｏｆ  ３ＧＰＰ  ＴＳＧ  ＲＡＮ  ＷＧ１  ＃７９  ｖ１．０．０”、３ＧＰＰ  ＴＳＧ  ＲＡＮ  ＷＧ１＃８０、２０１５年２月
【非特許文献３】ＭＣＣ  Ｓｕｐｐｏｒｔ、Ｒ１−１５１４５４、“Ｆｉｎａｌ  Ｒｅｐｏｒｔ  ｏｆ  ３ＧＰＰ  ＴＳＧ  ＲＡＮ  ＷＧ１  ＃８０  ｖ１．０．０”、３ＧＰＰ  ＴＳＧ  ＲＡＮ  ＷＧ１＃８０ｂｉｓ、２０１５年４月
【非特許文献４】ＭＣＣ  Ｓｕｐｐｏｒｔ、Ｒ１−１５２４３１、“Ｆｉｎａｌ  Ｒｅｐｏｒｔ  ｏｆ  ３ＧＰＰ  ＴＳＧ  ＲＡＮ  ＷＧ１  ＃８０ｂｉｓ  ｖ１．０．０”、３ＧＰＰ  ＴＳＧ  ＲＡＮ  ＷＧ１＃８１、２０１５年５月
【発明の概要】
【発明が解決しようとする課題】
【０００４】
上述のように、制御情報とユーザデータとが異なるサブフレームで送受信される場合、従来手法のようにユーザデータ用のサブフレームの割り当てが行われる都度、制御情報が送信されるとすると、通信に係る時間が長くなってしまう。すなわち、１つのサブフレームでユーザデータを送受信するために、制御情報用のサブフレームとユーザデータ用のサブフレームとで２つのサブフレーム分の時間がかかる。また、ユーザデータの送受信に複数個のサブフレームを用いる場合は、その個数×２サブフレーム分の時間がかかることとなる。さらに、低コストの端末では、送信と受信とを時間的に切り替えて行う半二重通信を行うことが考えられる。この場合、例えば上りリンク伝送では、制御情報の受信の後に、信号の送信のために送受信の切り替えを行い、切り替え後にユーザデータが端末から基地局へ送信されるため、さらに時間がかかることになる。そして、この場合、通信期間の半分は制御情報の送受信で用いられるため、システム全体としてのスループットも低下してしまいうる。
【０００５】
本発明は上記課題に鑑みなされたものであり、通信期間を短くすること、又は、スループットの低下を抑えることが可能なスケジューリング方式を提供することを目的とする。
【課題を解決するための手段】
【０００６】
上記目的を達成するため、本発明に係る基地局装置は、端末の通信のためにサブフレームを割り当てる基地局装置であって、１つ以上のサブフレームの前記端末への割り当てに係る１つの信号を、前記端末へ送信する送信手段と、前記１つの信号によって割り当てられるサブフレームの数の情報を前記端末へ通知する通知手段と、を有する。
【発明の効果】
【０００７】
本発明によれば、通信期間を短くすること、又は、スループットの低下を抑えることが可能なスケジューリング方式が提供される。
【図面の簡単な説明】
【０００８】
【図１】無線通信システムの構成例を示す図。
【図２】基地局装置のハードウェア構成例を示す図。
【図３】基地局装置の機能構成例を示す図。
【図４】下りリンクにおけるサブフレームが割り当てられる際の処理の流れの例を示す図。
【図５】上りリンクにおけるサブフレームが割り当てられる際の処理の流れの例を示す図。
【発明を実施するための形態】
【０００９】
以下、添付図面を参照して本発明の実施の形態を詳細に説明する。
【００１０】
（無線通信システムの構成）
図１に、本実施形態に係る無線通信システムの構成例を示す。本無線通信システムは、例えば、それぞれが無線通信装置として動作する基地局装置１０１と端末１０２とを含む。なお、例示的に１つの基地局装置１０１と１つの端末１０２とが含まれるシステムを示しているが、これらの通信装置は複数存在し得る。本無線通信システムは、例えばロングタームエボリューション（ＬＴＥ）等のセルラ通信システムであるが、その後の世代のセルラ通信システムや、無線ＬＡＮなどの無線通信システムであってもよい。すなわち、以下の技術は、２つの通信装置間において、スケジューリングに基づく通信を行う場合に適用できるものであり、その対象は、必ずしもセルラ通信システム等の特定のシステムに限定されない。
【００１１】
本無線通信システムでは、基地局装置１０１が、端末の通信のためにサブフレームを割り当てる。なお、本実施形態及び特許請求の範囲の記載において、サブフレームの割り当ては、サブフレームの少なくとも一部のリソース（周波数および時間）の割り当てを包含するものである。すなわち、サブフレームの割り当ては、例えばそのサブフレームにおけるいずれか一部の周波数リソースが割り当てられることを含む。なお、このとき、どの周波数成分が割り当てられるかは特に問わないものとする。すなわち、サブフレームの割り当ては、そのサブフレームにおけるいずれかの周波数成分が割り当てられることを説明するものであり、周波数成分の割り当ては、サブフレームの割り当ての際に同時に行われてもよいし、別途行われてもよい。
【００１２】
基地局装置１０１は、サブフレームの割り当てを特定する１つの信号を端末１０２へ送信する。また、基地局装置１０１は、その１つの信号によって割り当てられるサブフレームの数を特定する情報を端末１０２へ通知する。すなわち、上述の１つの信号は、１つ以上のサブフレームを同時に割り当てるものであり、通知は、その同時に割り当てられるサブフレームの数を示すものである。
【００１３】
上述のように、制御情報とユーザデータとが異なるサブフレームで送受信される場合、従来手法のようにユーザデータ用のサブフレームの割り当てが行われる都度、制御情報が送信されるとすると、通信に係る時間が長くなってしまう。すなわち、ｎ個（ｎ≧１）のサブフレームでユーザデータを送受信するために、制御情報用のサブフレームとユーザデータ用のサブフレームとで２×ｎ個のサブフレーム分の時間がかかる。これに対して、上述のように、１つの信号によってｎ個（ｎ≧１）のサブフレームを割り当てることにより、（ｎ＋１）サブフレーム分の時間で、制御情報用のサブフレームとユーザデータ用のサブフレームとの送受信を完了することができる。
【００１４】
なお、１つの信号で割り当てられるサブフレーム数の通知は、その１つの信号に含められる情報によって行われてもよい。例えば、ＬＴＥの場合、ＤＣＩ（下りリンク制御情報）フォーマット内に、割り当てるサブフレームの数の情報が含められて、送受信される。この場合、端末は、例えば、受信したＤＣＩフォーマットに割り当てられるサブフレームの数の情報を取得して、ユーザデータのための割り当てが開始されるサブフレームから、情報で特定された数のサブフレームの期間、データの送信又は受信を継続する。この場合、別途、基地局装置１０１と端末１０２との間で通知を送受信する必要がなくなる。
【００１５】
また、１つの信号で割り当てられるサブフレームの数の通知は、その１つの信号の少なくとも一部をスクランブリングなどにより加工又は変更するために用いられる値によって行われうる。例えば、ＬＴＥにおいては、物理下りリンク制御チャネル（ＰＤＣＣＨ）のパリティビットが、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を用いてスクランブリングされる。このとき、例えば、１つの信号で割り当てられるサブフレームの数ごとに、異なるＣ−ＲＮＴＩを対応付ける。そして、割り当てられるサブフレームの数に対応するＣ−ＲＮＴＩを用いて、端末へ送信されるＤＣＩフォーマットがスクランブリングされる。端末は、ＤＣＩフォーマットがどのようなパターンでスクランブリングされているかを判定することにより、スクランブリングにどのＣ−ＲＮＴＩが用いられたかを判定し、そのＤＣＩフォーマットで割り当てられるサブフレームの数を特定することができる。なお、Ｃ−ＲＮＴＩとサブフレームの割り当て数との対応関係は、予め（例えば出荷時などに）基地局装置と端末との間で共有されていてもよいし、通信が行われるのに先立って、例えば接続制御時に、基地局装置から端末へ通知されてもよい。なお、Ｃ−ＲＮＴＩはスクランブリングに用いる値の一例であり、サブフレームの割り当てを示す１つの信号の少なくとも一部をスクランブリングする値であれば、Ｃ−ＲＮＴＩ以外の値が用いられてもよい。
【００１６】
なお、スクランブリング以外にも、１つの信号の少なくとも一部を拡散するなど、その信号で送信される情報の量を増やすことなく、その信号を加工することによって、割り当てるサブフレームの数が通知されてもよい。例えば拡散によってサブフレームの数が通知される場合、使用される拡散符号が、通知されるサブフレームの数に対応することとなる。すなわち、１つの信号を加工する際に、通知されるサブフレームの数に応じて異なる値が用いられる。そして、端末は、受信した信号が、どの値を用いて加工されているかを判定し、その判定結果に応じて、受信した信号によって割り当てられるサブフレームの数を特定する。この場合の値も、予め基地局装置と端末との間で共有されてもよいし、接続制御時などに、基地局装置から端末へ通知されてもよい。
【００１７】
また、データ信号に割り当てられるサブフレームの開始タイミングについて、基地局装置１０１から端末１０２へ通知されてもよい。
【００１８】
なお、基地局装置１０１は、いくつのサブフレームを１つの信号によって割り当てるかを、例えば、端末１０２からの無線品質のフィードバック、過去のモビリティ情報、通信のプロファイル情報などの少なくともいずれかに基づいて決定することができる。ここで、無線品質のフィードバックは、例えば、ＣＳＩ（チャネル状態情報）、ＨＡＲＱ（ハイブリッド自動再送要求）によるＡＣＫ／ＮＡＣＫ（肯定応答／否定応答）の受信回数を含みうる。また、通信のプロファイル情報は、ＱＣＩ（Ｑｕａｌｉｔｙ  Ｃｌａｓｓｉｆｉｃａｔｉｏｎ  Ｉｎｄｉｃａｔｏｒ）、ＳＰＩＤ（Ｓｕｂｓｃｒｉｂｅｒ  Ｐｒｏｆｉｌｅ  Ｉｄｅｎｔｉｆｉｅｒ）、ＰＬＭＮ（Ｐｕｂｌｉｃ  Ｌａｎｄ  Ｍｏｂｉｌｅ  Ｎｕｍｂｅｒ）ＩＤを含みうる。
【００１９】
基地局装置１０１は、例えば、端末１０２との間のチャネル（伝送路）の所定期間内における変動が大きいか小さいかを判定し、変動が大きい場合は一度に割り当てるサブフレーム数を少なくし、変動が小さい場合には一度に多くのサブフレームを割り当てる。これにより、例えば多くのサブフレームを割り当てた後にチャネルが変動して多くのサブフレームで通信不能となることを防ぐことが可能となる。すなわち、チャネルの変動が大きく、チャネルの品質の劣化が予測される場合には、少ないサブフレームが割り当てられ、仮にチャネルの品質が劣化しても、通信不能となるサブフレームの数を抑えることが可能となる。一方で、チャネルの変動が小さい場合には、多くのサブフレームを一度に割り当てることにより、通信期間の短縮及びシステム全体としてのスループットの改善を図ることができる。また、例えば、端末１０２が移動する確率が高い場合、又は移動している場合は、少ない数のサブフレームが割り当てられ、端末１０２が静止している確率が高い場合、又は静止している場合に、基地局装置１０１は、多くの数のサブフレームを割り当てうる。さらに、基地局装置１０１は、通信のプロファイルに応じて、多くのサブフレームを一度に割り当てても通信の劣化が起こりにくい場合には、一度に多くのサブフレームを割り当て、それ以外の場合は、一度に割り当てるサブフレームの数を少なくし得る。
【００２０】
なお、サブフレームの割り当てにおいて、周波数ホッピングを実行してもよい。すなわち、例えば、一度に割り当てられる複数のサブフレームについて、サブフレームごとに、異なる周波数が用いられてもよい。例えばＬＴＥにおいて、全システム帯域を１．４ＭＨｚごとの周波数区間に分割し、少なくとも一部の時間的に連続するサブフレームが、異なる周波数区間に配置されるように、サブフレームの割り当てが行われうる。この場合、基地局装置１０１は、例えば、周波数ホッピングを行うことを端末１０２に通知し、端末１０２は、所定のホッピングパターンに従って、使用するサブフレームを特定する。周波数ホッピングが行われることの通知は、例えばＤＣＩフォーマットによって行われてもよいし、別の信号によって行われてもよい。
【００２１】
なお、使用されるホッピングパターンは、基地局装置１０１から端末１０２へ通知されてもよいし、端末１０２の識別子などの情報に基づいて決定されてもよい。端末１０２の識別子などの情報によってホッピングパターンが決定される場合、基地局装置１０１と端末１０２とが自律的に使用されるホッピングパターンを特定（例えば算出）することができるため、ホッピングパターンの通知は行われなくてもよい。なお、複数のサブフレームは、周波数区間ごとに使用する周波数リソースの相対的な位置は固定されていてもよい。すなわち、各サブフレームは、１．４ＭＨｚ単位で使用する周波数リソースがシフトするように、例えば中心周波数のみを変更することによって周波数ホッピングされうる。また、複数のサブフレームの周波数区間ごとに使用する周波数リソースの相対的な周波数位置は変更されてもよい。この場合、ホッピング先における使用周波数リソースを特定するインジケータが基地局装置１０１から端末１０２へと通知されうる。周波数ホッピングを行うことによって、周波数ダイバーシティ利得を得ることが可能となる。
【００２２】
ここで、上述のように、低コストの端末では、送信と受信とを時間的に切り替えて行う半二重通信を行うことが考えられる。このときに、ＡＣＫ／ＮＡＣＫ等の確認応答が送信される場合、ユーザデータの送受信の後に、送受信の切り替えが行われ、切り替え後に確認応答が送信される。このとき、１つの制御情報によって割り当てられた１つ以上のサブフレームについての確認応答を、まとめて送信するようにする。すなわち、１つの制御情報によって割り当てられた１つ以上のサブフレームにおける信号の送受信が完了するまでは、確認応答は送信されない。これにより、１つのユーザデータ用のサブフレームの受信ごとに、送受信を切り替えて確認応答を送信することがなくなるため、通信に必要なサブフレーム数を圧縮することが可能となる。
【００２３】
ここで、基地局装置は、データチャネルの割り当てを行う際には、ＨＡＲＱの再送を行う信号を識別するために、通常、１回のデータチャネルの割り当てごとに、ＨＡＲＱ  Ｐｒｏｃｅｓｓ  ＩＤを割り当てる。ここで、１回で割り当てられる複数のサブフレームに対して、同じ１つのＩＤが割り当てられてもよいし、サブフレームごとに異なるＩＤが割り当てられてもよい。複数のサブフレームに対して１つのＩＤが割り当てられる場合、受信側の通信装置は、それらの複数のサブフレームの信号の受信後に、受信した全信号系列を結合した後に受信判定を行い、その判定結果に対応する確認応答を送信側の通信装置へ送信する。なお、この場合であっても、その複数のサブフレームの信号のうちのいずれがエラーの原因となったかを知ることができる場合は、受信側の通信装置は、そのエラーの原因となるサブフレームを特定する情報を送信側の通信装置へ通知し得る。また、サブフレームごとに異なるＩＤが割り当てられる場合、受信側の通信装置は、どのサブフレームの信号がエラーとなったかを判定し、サブフレームごとに確認応答を送信側の通信装置へ送信する。
【００２４】
なお、確認応答は、複数のサブフレームに対して１つのＩＤが割り当てられる場合で、受信信号の全体について受信判定を行う場合は、１つのみ送信される。一方、複数のサブフレームに対して複数のＩＤが割り当てられる場合（例えば、ｎ個のサブフレームに対して、ｍ個（ｍ≦ｎ）のＩＤが割り当てられる場合）は、ＩＤごとに確認応答が送信される。なお、このときであっても、確認応答を含む確認応答信号は１つでありうる。すなわち、１つの確認応答信号が複数のＩＤに関する確認応答を含みうる。また、同じＩＤのサブフレームについて、そのいずれがエラーの要因となっているかを特定できる場合は、そのエラーの要因となっているサブフレームを特定する情報と共に確認応答が送信されうる。なお、確認応答は、肯定応答と否定応答とのいずれかが送信されればよく、例えば、エラーが生じたサブフレームについてのみ確認応答が送信されてもよいし、正常受信されたサブフレームについて確認応答が送信されてもよい。なお、確認応答で送信すべきデータ量が多い場合は、例えばＰＤＳＣＨ（物理下りリンク共有チャネル）又はＰＵＳＣＨ（物理上りリンク共有チャネル）などのデータチャネルが、確認応答用に割り当てられてもよい。
【００２５】
以下、このような処理を行う基地局装置１０１の構成および実行される処理の流れの例について説明する。
【００２６】
（基地局装置のハードウェア構成）
図２は、基地局装置１０１のハードウェア構成例を示す図である。基地局装置１０１は、一例において、図２に示すようなハードウェア構成を有し、例えば、ＣＰＵ２０１、ＲＯＭ２０２、ＲＡＭ２０３、外部記憶装置２０４、及び通信装置２０５を有する。基地局装置１０１では、例えばＲＯＭ２０２、ＲＡＭ２０３及び外部記憶装置２０４のいずれかに記録された、基地局装置１０１の各機能を実現するためのプログラムがＣＰＵ２０１により実行される。そして、基地局装置１０１は、例えばＣＰＵ２０１により通信装置２０５を制御して、基地局装置１０１と他の基地局装置との間又は基地局装置１０１と端末１０２との間の通信を行う。なお、図２では、基地局装置１０１は、１つの通信装置２０５を有するとしているが、例えば、基地局装置１０１は、基地局装置間の通信用の通信装置及び端末１０２との間の通信のための通信装置を有してもよい。
【００２７】
なお、基地局装置１０１は、各機能を実行する専用のハードウェアを備えてもよいし、一部をハードウェアで実行し、プログラムを動作させるコンピュータでその他の部分を実行してもよい。また、基地局装置１０１は、その全機能をコンピュータとプログラムにより実行させてもよい。
【００２８】
（基地局装置の機能構成）
図３は、基地局装置１０１の機能構成例を示す図である。基地局装置１０１は、その機能構成として、例えば、送信部３０１、受信部３０２、サブフレーム割当部３０３、サブフレーム数決定部３０４、サブフレーム数通知部３０５、及びＨＡＲＱ制御部３０６を有する。
【００２９】
送信部３０１は、例えば、制御信号又はデータ信号を端末１０２へ送信する機能部である。なお、送信部３０１は、それぞれ無線信号である制御信号とデータ信号とを異なるサブフレームにおいて送信する。すなわち、送信部３０１は、下りリンクのサブフレームを割り当てるための制御信号の送信後の、１つ以上のサブフレームにおいてデータを送信する。なお、制御信号は、例えば一般的な端末が用いることが可能なＰＤＣＣＨ（物理下りリンク制御チャネル）ではなく、ＰＤＳＣＨ（物理下りリンク共有チャネル）によって送信される。受信部３０２は、例えば、端末１０２からの無線信号を受信する。例えば、受信部３０２は、端末１０２が送信した上りリンクのデータ信号又は確認応答信号を受信する。このとき、受信部３０２は、例えば、送信部３０１が上りリンクのサブフレームを割り当てるための制御信号の送信後に、１つ以上のサブフレームにおいて端末１０２が送信したデータ信号を受信する。
【００３０】
なお、端末１０２が上りリンクのデータ信号を送信する場合、基地局装置１０１は、送信部３０１を介して、上りリンクのデータ信号の送信を許可する１つ以上のサブフレームの情報を１つの制御信号によって端末１０２へ送信することとなる。また、この場合、送信部３０１は、端末１０２に対して確認応答信号をも送信する。
【００３１】
サブフレーム割当部３０３は、端末１０２に対して、下りリンク又は上りリンクの１つ以上のサブフレームを割り当てる。サブフレーム数決定部３０４は、１つの信号によって一度に割り当てるサブフレームの数を決定する。サブフレーム数決定部３０４は、例えば上述のように、端末１０２からの無線品質のフィードバック、過去のモビリティ情報、通信のプロファイル情報などの少なくともいずれかに基づいて、割り当てるサブフレーム数を決定する。なお、サブフレーム割当部３０３は、サブフレーム数決定部３０４が決定した、割り当てるサブフレーム数に応じて、サブフレームの割り当てを行ってもよいし、そのサブフレーム数には関係なくサブフレームの割り当てを行ってもよい。なお、サブフレーム割当部３０３は、周波数ホッピングを行うことを決定してもよい。サブフレーム割当部３０３は、割り当てを決定すると、その割り当てを特定する制御信号を生成して、その制御信号を送信するように送信部３０１を制御する。
【００３２】
サブフレーム数通知部３０５は、サブフレーム数決定部３０４が決定した、１つの信号によって割り当てられるサブフレームの数を端末１０２へ通知する。この通知には、例えば上述のように、ＤＣＩフォーマットなど、割り当てを通知するための、サブフレーム割当部３０３が生成する１つの信号が用いられてもよいし、Ｃ−ＲＮＴＩなど、その１つの信号を加工し又は変形させるための値が用いられてもよい。なお、１つの信号を加工する又は変形させるための値によって、１つの信号で割り当てられるサブフレームの数を通知する場合は、サブフレームの数と使用される値との対応関係の情報が、サブフレーム数通知部３０５から端末１０２へ通知されうる。
【００３３】
ＨＡＲＱ制御部３０６は、上述のＨＡＲＱに係る制御を行う。例えば、１つの信号で割り当てられる複数のサブフレームで基地局装置１０１から送信される一連の信号に関して、ＨＡＲＱ  Ｐｒｏｃｅｓｓ  ＩＤを管理し、再送制御を行う。例えば、ＨＡＲＱ制御部３０６は、その一連の信号に関して１つのＩＤが割り当てられる場合、その１つのＩＤを管理し、例えば、そのＩＤに関して否定応答が端末１０２から受信された場合、再度その一連の信号を再送対象として送信部３０１へ送信させる。また、ＨＡＲＱ制御部３０６は、その一連の信号に関してそれぞれ別のＩＤが割り当てられる場合、その複数のＩＤを管理する。そして、ＨＡＲＱ制御部３０６は、受信した否定応答に対応するＩＤの信号について、再送制御を行う。いずれの場合も、再送信号は、再送される前の信号とは異なってもよい。
【００３４】
また、ＨＡＲＱ制御部３０６は、１つの信号で割り当てられる複数のサブフレームで端末１０２から送信される一連の信号に関して、そのＩＤの割り当てられ方に応じた確認応答信号を送信する。例えば、ＨＡＲＱ制御部３０６は、その一連の信号に関して１つのＩＤが割り当てられる場合、例えば、その一連の信号を統合して受信判断を行い、その結果に応じた確認応答を送信するように送信部３０１を制御する。また、ＨＡＲＱ制御部３０６は、その一連の信号に関してそれぞれ別のＩＤが割り当てられる場合、例えば、受信失敗した信号に関する否定応答を、その信号に対応するＩＤに関するものであることが受信者によって判定可能な方法で送信するように、送信部３０１を制御する。
【００３５】
（処理の流れ）
続いて、上述のような基地局装置１０１と端末１０２との間で行われる処理の流れの例について説明する。図４に、下りリンクのデータ送信が行われる場合の処理例を示す。なお、以下では、基地局装置１０１は、端末１０２への下りリンクのデータ送信のために、４つのサブフレームを１つの制御信号によって一度に割り当てる場合について説明する。また、ここでの端末１０２は、半二重通信のみを行うことができるものとし、送信と受信とを同時に行うことはできないものとする。
【００３６】
図４において、まず、基地局装置１０１は、制御信号によって、下りリンクの１つ以上のサブフレームの割り当てを示す信号を送信する（Ｓ４０１）。このとき、割り当てられるサブフレームの数が併せて通知される。この通知は、例えば制御信号内の情報として送信されることによって行われてもよいし、制御信号に対してスクランブリングなどの加工を行う際に用いられる値によって行われてもよい。なお、１つの制御信号によって割り当てられるサブフレームの数は、本例では４つの場合を示しているが、これ以外の数でありうる。また、割り当てられるサブフレームの数は、上述のように、例えば端末１０２からの無線品質のフィードバック、過去のモビリティ情報、通信のプロファイル情報などの少なくともいずれかに基づいて決定されうる。
【００３７】
端末１０２は、制御信号を受信する際に、その１つの制御信号によって一度に割り当てられるサブフレームの数を特定する。例えば、端末１０２は、制御信号内の割り当てられるサブフレームの数を示す情報を読み込むことにより、一度に割り当てられるサブフレームの数を特定する。なお、端末１０２は、制御信号が、例えばどのスクランブリングパターンによってスクランブリングされているかなど、どのように加工されているかを判定することにより、一度に割り当てられるサブフレームの数を特定してもよい。その後、端末１０２は、特定したサブフレームの数だけ、データ信号の受信を継続する。なお、データ信号に割り当てられるサブフレームの開始タイミングについて、基地局装置１０１から端末１０２へ通知されてもよい。
【００３８】
基地局装置１０１は、制御信号の送信後、制御信号で割り当てた数のサブフレームにわたって、データ信号の送信を連続して行う（Ｓ４０２〜Ｓ４０５）。基地局装置１０１は、制御信号によって割り当てられた数のサブフレームの送信を完了した後に、端末１０２から確認応答を受信するのを待ち受ける。
【００３９】
一方、端末１０２は、通知された数のサブフレームの受信を完了するまで、受信を継続する。そして、端末１０２は、通知された数のサブフレームの受信を完了すると、続いて、送受信機能を切り替える（Ｓ４０６）。ここでは、端末１０２は、受信から送信へと機能を切り替える。なお、送受信機能の切り替えは、例えば１サブフレーム分の時間がかかりうる。端末１０２は、受信から送信へと切り替えると、例えば次のサブフレームにおいて確認応答を送信する（Ｓ４０７）。すなわち、端末１０２は、通知された数のサブフレームの受信を完了するまでは、確認応答を送信しない。
【００４０】
なお、確認応答は、Ｓ４０２〜Ｓ４０５におけるデータ信号に関して、１つのＨＡＲＱ  Ｐｒｏｃｅｓｓ  ＩＤが割り当てられている場合は、その４つのデータ信号を統合した後の受信判定に基づいて、１つの肯定又は否定応答として送信されうる。一方、Ｓ４０２〜Ｓ４０５におけるデータ信号に関して、それぞれ別個のＩＤが割り当てられている場合は、それぞれの信号の受信判定に基づいて、１つ以上の肯定又は否定応答として送信されうる。このとき、確認応答のために、例えばＰＵＳＣＨ（物理上りリンク共有チャネル）が用いられうる。基地局装置１０１は、確認応答信号を受信すると、その内容に応じて再送制御を行う。端末１０２は、確認応答信号の送信後、送受信の切り替えを再度行い、送信から受信へと通信機能を切り替える（Ｓ４０８）。
【００４１】
続いて、図５を用いて、上りリンクのデータ送信が行われる場合の処理例について説明する。なお、ここでは、基地局装置１０１は、端末１０２への上りリンクのデータ送信のために、４つのサブフレームを１つの制御信号によって一度に割り当てる場合について説明する。また、ここでの端末１０２も、半二重通信のみを行うことができるものとし、送信と受信とを同時に行うことはできないものとする。
【００４２】
図５において、まず、基地局装置１０１は、制御信号によって、上りリンクの１つ以上のサブフレームの割り当てを示す信号を送信する（Ｓ５０１）。このとき、割り当てられるサブフレームの数が併せて通知される。この通知は、例えば制御信号内の情報として送信されることによって行われてもよいし、制御信号に対してスクランブリングなどの加工を行う際に用いられる値によって行われてもよい。なお、１つの制御信号によって割り当てられるサブフレームの数は、本例では４つの場合を示しているが、これ以外の数でありうる。また、割り当てられるサブフレームの数は、上述のように、例えば端末１０２からの無線品質のフィードバック、過去のモビリティ情報、通信のプロファイル情報などの少なくともいずれかに基づいて決定されうる。基地局装置１０１は、制御信号の送信後、端末１０２からのデータ信号を受信するのを待ち受ける。
【００４３】
端末１０２は、制御信号を受信する際に、その１つの制御信号によって一度に割り当てられるサブフレームの数を特定する。例えば、端末１０２は、制御信号内の割り当てられるサブフレームの数を示す情報を読み込むことにより、一度に割り当てられるサブフレームの数を特定する。なお、端末１０２は、制御信号が、例えばどのスクランブリングパターンによってスクランブリングされているかなど、どのように加工されているかを判定することにより、一度に割り当てられるサブフレームの数を特定してもよい。なお、データ信号に割り当てられるサブフレームの開始タイミングについて、基地局装置１０１から端末１０２へ通知されてもよい。
【００４４】
また、端末１０２は、制御信号を受信すると、上りリンクでのデータ信号の送信のために、送受信の切り替えを行う（Ｓ５０２）。すなわち、ここでは、端末１０２は、受信から送信へと、通信機能の切り替えを行う。その後、端末１０２は、通知された数のサブフレームにわたって、データ信号の送信を連続して行う（Ｓ５０３〜Ｓ５０６）。その後、端末１０２は、基地局装置１０１からの確認応答を受信するために、再度、送受信の切り替えを行う（Ｓ５０７）。
【００４５】
一方、基地局装置１０１は、自身が端末１０２へ通知した数のサブフレームの受信を完了するまで、受信を継続する。そして、基地局装置１０１は、通知された数のサブフレームの受信を完了すると、例えば２つ後のサブフレームにおいて確認応答を送信する（Ｓ５０８）。ここで「２つ後」としているのは、端末１０２における送受信の切り替えに１サブフレーム分の時間がかかる場合があるため、その場合にも端末１０２が正確に確認応答を受信できるようにするためである。
【００４６】
なお、確認応答は、Ｓ５０３〜Ｓ５０６におけるデータ信号に関して、１つのＨＡＲＱ  Ｐｒｏｃｅｓｓ  ＩＤが割り当てられている場合は、その４つのデータ信号を統合した後の受信判定に基づいて、１つの肯定又は否定応答として送信されうる。一方、Ｓ５０３〜Ｓ５０６におけるデータ信号に関して、それぞれ別個のＩＤが割り当てられている場合は、それぞれの信号の受信判定に基づいて、１つ以上の肯定又は否定応答として送信されうる。このとき、確認応答のために、例えばＰＤＳＣＨ（物理下りリンク共有チャネル）が用いられうる。端末１０２は、確認応答信号を受信すると、その内容に応じて再送制御を行う。そして、端末１０２は、確認応答信号により再送が必要と判定した場合は、送受信の切り替えを再度行い、データ信号の再送処理を行う。なお、再送時のサブフレームの割り当ても、基地局装置１０１が行うことができる。
【００４７】
以上のように、本実施形態に係る基地局装置は、端末に対して、１つ又は複数のサブフレームを、１つの制御信号によって一度に割り当てる。そして、基地局装置は、その際に、１つの制御信号によって一度に割り当てられるサブフレームの数をその端末に通知する。これにより、端末に対して１つのサブフレームの割り当てるごとに、１つの制御信号が送信されることを防ぎ、通信期間を短くすること、又は、スループットの低下を抑えることが可能となる。
【図１】
2017038274.tif 000003
【図２】
2017038274.tif 000004
【図３】
2017038274.tif 000005
【図４】
2017038274.tif 000006
【図５】
2017038274.tif 000007